(57)【要約】【課題】品質が良いキャリア周波数のセルを介して位置登録を行う。【解決手段】無線通信装置で、アンテナ１が無線信号を入力し、受信処理手段２が指定されたキャリア周波数の受信信号を入力信号から取得し、セル情報検出手段３が受信信号に基づいてセル、希望波受信電力を検出し、情報記憶手段４がキャリア周波数を特定する情報、検出されたセルを特定する情報、検出された希望波受信電力の情報を記憶し、記憶情報制御手段５が２以上のキャリア周波数を順次指定して各キャリア周波数について検出結果の情報を記憶情報に反映させ、位置登録制御手段５が記憶情報に基づいて希望波受信電力が最大となるキャリア周波数のセルを介して位置登録を行うように制御する。【選択図】  図１
2012028849.tif 000002
【特許請求の範囲】
【請求項１】
無線通信を行う無線通信装置において、
無線信号を入力するアンテナと、
指定されたキャリア周波数の受信信号を前記アンテナにより入力された信号から取得する受信処理手段と、
前記受信処理手段により取得された受信信号に基づいてセルを検出し、検出されたセルについて希望波受信電力を検出するセル情報検出手段と、
少なくとも、キャリア周波数を特定する情報、前記セル情報検出手段により検出されたセルを特定する情報、前記セル情報検出手段により検出された希望波受信電力の情報を記憶する情報記憶手段と、
前記受信処理手段に対して２以上のキャリア周波数を順次指定して、指定した各キャリア周波数について前記セル情報検出手段による検出結果の情報を前記情報記憶手段の記憶情報に反映させる記憶情報制御手段と、
前記記憶情報制御手段により得られた前記情報記憶手段の記憶情報に基づいて、前記２以上のキャリア周波数の中で希望波受信電力が最大となるキャリア周波数のセルを介して位置登録を行うように制御する位置登録制御手段と、
を備えたことを特徴とする無線通信装置。
【発明の詳細な説明】
【技術分野】
【０００１】
本発明は、無線通信装置に関し、特に、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式におけるキャリアサーチ方式に関する。
【背景技術】
【０００２】
従来例に係るＷ−ＣＤＭＡ方式を採用する移動通信システムでは、端末装置は、電源投入後に、予めメモリに格納された周波数番号のキャリア周波数でセルをサーチし、検出されたセルを介して通信網（以下、ＮＷと言う）に対して位置登録処理を実行することが行われている。
【０００３】
このような動作の概要について以下で説明する。
端末装置は、まず、電源投入後に、予めメモリ内のキャリアテーブルに格納された複数の周波数番号のうち、キャリアテーブルの最初に格納された周波数番号を読み出す。次に、端末装置は、読み出した周波数番号で受信できる受信電力の最大レベルのセルのスクランブルコードを同定してセルを検出する。次に、端末装置は、検出したセルの報知情報を読み出し、検出したセルを介してＮＷに対して位置登録を行うために、上り共通チャネルを使用して端末情報（当該端末装置に関する情報）を送信する。
【０００４】
すると、該当するセルは、上り共通チャネルを受信し、端末装置の位置登録を開始するために、下り共通チャネルを送信して、個別チャネルを設定する。そして、上りと下りの個別チャネルを用いて端末装置と該当するセルとの間で通信を行い、これにより、端末装置はＮＷへの位置登録を完了する。
【０００５】
ここで、予めメモリ内のキャリアテーブルに格納された複数の周波数番号には、例えば２ＧＨｚ帯と８００ＭＨｚ帯の周波数番号があり、通信エリアによってはキャリア周波数の受信品質が異なる。例えば、メモリ内のキャリアテーブルには２ＧＨｚ帯の周波数番号から格納されているため、８００ＭＨｚ帯の受信品質が良い通信エリアにおいては、端末装置では、最初に２ＧＨｚ帯のキャリア周波数からセルサーチし、２ＧＨｚ帯でセルが検出できなければ８００ＭＨｚ帯でセルサーチし、検出された受信品質が良好な８００ＭＨｚ帯のセルに対して位置登録を行う、という処理手順が用いられる。
【先行技術文献】
【特許文献】
【０００６】
【特許文献１】特開２００１−１７７４４０号公報
【発明の概要】
【発明が解決しようとする課題】
【０００７】
しかしながら、端末装置では、８００ＭＨｚ帯の受信品質が良い通信エリアにおいて、最初に２ＧＨｚ帯のキャリア周波数からセルサーチして２ＧＨｚ帯のセルを検出した場合には、８００ＭＨｚ帯よりも受信品質が劣悪なキャリア周波数のセルを介して位置登録を行うため、位置登録処理中に品質劣化によって通信が切断され、端末装置でセル検出できても位置登録が完了しないことがあるといった問題があった。
【０００８】
本発明は、このような従来の事情に鑑み為されたもので、品質が良いキャリア周波数のセルを介して位置登録を行うことができる無線通信装置を提供することを目的とする。
【課題を解決するための手段】
【０００９】
上記目的を達成するため、本発明では、無線通信を行う無線通信装置において、次のような構成とした。
すなわち、アンテナが、無線信号を入力する。受信処理手段が、（記憶情報制御手段により）指定されたキャリア周波数の受信信号を前記アンテナにより入力された信号から取得する。セル情報検出手段が、前記受信処理手段により取得された受信信号に基づいてセルを検出し、検出されたセルについて希望波受信電力（ＲＳＣＰ：Ｒｅｃｅｉｖｅｄ  Ｓｉｇｎａｌ  Ｃｏｄｅ  Ｐｏｗｅｒ）を検出する。情報記憶手段が、少なくとも、キャリア周波数を特定する情報、前記セル情報検出手段により検出されたセルを特定する情報、前記セル情報検出手段により検出された希望波受信電力の情報（例えば、希望波受信電力の値）を記憶する。記憶情報制御手段が、前記受信処理手段に対して２以上のキャリア周波数を順次指定して、指定した各キャリア周波数について前記セル情報検出手段による検出結果の情報を前記情報記憶手段の記憶情報に反映（例えば、更新により記憶）させる。位置登録制御手段が、前記記憶情報制御手段により得られた（前記反映が為された）前記情報記憶手段の記憶情報に基づいて、前記２以上のキャリア周波数の中で希望波受信電力が最大となるキャリア周波数のセルを介して位置登録を行うように制御する。
従って、品質が良いキャリア周波数のセルを介して位置登録を行うことができる。
【００１０】
ここで、キャリア周波数を特定する情報としては、種々な情報が用いられてもよく、例えば、番号（周波数番号）などを用いることができる。
また、セルを特定する情報としては、種々な情報が用いられてもよく、例えば、番号などを用いることができる。
また、アンテナによる入力信号から所定のキャリア周波数の信号（受信信号）を取得する態様としては、例えば、当該所定のキャリア周波数に対応したベースバンド信号を取得する態様を用いることができる。
また、所定のキャリア周波数の受信信号に基づいてセルを検出する手法としては、例えば、セル毎に割り当てられるコード（例えば、スクランブルコード）を同定してセルを検出するような手法を用いることができる。
【００１１】
また、情報記憶手段は、例えば、キャリアの数（総数）の情報や、セルの検出の有無を表すフラグ等の情報を更に記憶してもよく、また、記憶情報制御手段は、このようなフラグ等の情報についても記憶情報の反映を行ってもよい。
また、記憶情報制御手段が２以上のキャリア周波数を順次指定する場合における、２以上のキャリア周波数の数（総数）や、各キャリア周波数の値や、指定する順序としては、それぞれ、種々な態様が用いられてもよく、例えば、予め設定され、或いは、任意のタイミングで任意の手法により変更されてもよい。
【００１２】
また、記憶情報制御手段は、例えば、セル情報検出手段によりセルが検出されなかったような場合には、その情報を必ずしも情報記憶手段の記憶情報に記憶させなくてもよい。
また、位置登録制御手段は、２以上のキャリア周波数の中で希望波受信電力が最大となるキャリア周波数のセルを介して位置登録を行うように制御する場合に、複数の異なるキャリア周波数について最大となる希望波受信電力（つまり、最大となる同じ値の希望波受信電力）があるようなときには、例えば、その中で指定順序が最も早いものを優先的に選択するという態様などのように、予め設定された態様で、いずれか１つのキャリア周波数を選択して、選択したキャリア周波数のセルを介して位置登録を行うように制御する。
【発明の効果】
【００１３】
以上説明したように、本発明に係る無線通信装置によると、品質が良いキャリア周波数のセルを介して位置登録を行うことができる。
【図面の簡単な説明】
【００１４】
【図１】本発明の一実施例に係る端末装置の構成例を示す図である。
【図２】（Ａ）、（Ｂ）、（Ｃ）はメモリの構成例及び格納されるデータの例を示す図である。
【図３】本発明の一実施例に係る端末装置により行われるキャリアサーチ処理の手順の一例を示すフローチャートの図である。
【発明を実施するための形態】
【００１５】
本発明に係る実施例を図面を参照して説明する。
まず、本発明の一実施例に係るＷ−ＣＤＭＡ方式を採用する移動通信システムの概要を説明する。
本例の移動通信システムには、複数の基地局装置と、複数の端末装置が備えられる。各基地局装置は、１つ以上のセルを形成し、各セル毎に存在する１つ以上の端末装置との間で無線により通信する。端末装置は、例えば、移動することが可能な移動局装置として構成される。
また、例えば、基地局装置のセルを区別する（異なるセルを区別する）ためのスクランブルコード（固有の拡散符号）が用いられる。端末装置では、基地局装置からの受信信号と予め用意したコード（複数種類のスクランブルコードの各々と同じコード）との相関値に基づいて、受信信号に含まれるスクランブルコードを同定することが可能である。
【００１６】
図１には、本発明の一実施例に係るＷ−ＣＤＭＡ方式を採用する移動通信システムに設けられる端末装置の構成例を示してある。なお、図１では、主に、本発明の一実施例に係るキャリアサーチ方式を実現するための構成部を示してある。
本例の端末装置は、アンテナ１、受信部２、セルサーチ部３、メモリ４、制御部５を備えている。
【００１７】
本例の端末装置において行われる動作の例を示す。
アンテナ１は、複数のキャリア周波数のＷ−ＣＤＭＡ方式の信号（Ｗ−ＣＤＭＡ信号）を無線により送受信（送信、受信）する。
受信部２は、アンテナ１で受信した複数のキャリア周波数のうち、指定された周波数番号に対応したキャリア周波数で信号を受信し、受信した信号（受信信号）をベースバンド信号へ変換する。
【００１８】
セルサーチ部３は、受信部２が出力するベースバンド信号から、そのキャリア周波数で希望波受信電力（ＲＳＣＰ）が最大レベルのセルのスクランブルコードを同定する。この結果、セルを検出できた場合には、セルサーチ部３は、そのセルのＲＳＣＰを測定し、ＲＳＣＰが最大となるセルとＲＳＣＰ値と検出結果の情報を制御部５へ出力する。一方、セルを検出できなった場合には、セルサーチ部３は、検出結果の情報だけを制御部５へ出力する。
【００１９】
メモリ４は、キャリア数とキャリアテーブルとで構成される。キャリアテーブルは周波数番号と検出フラグと検出セルとＲＳＣＰを対応付ける領域をキャリア数分有し、周波数番号には予め値が格納されている。
制御部５は、周波数番号をメモリ４から読み出して受信部２に設定することや、セルサーチ部３からのセル検出結果の情報に応じてメモリ４のキャリアテーブルを更新することを行う。また、制御部５は、キャリア数分の処理を実行して、メモリ４に格納された周波数番号の中で最大レベルのＲＳＣＰのセルを介してＮＷに位置登録を行うように制御する。
【００２０】
図２（Ａ）には、メモリ４の構成例を示してある。
メモリ４には、キャリア数を格納する領域と、キャリアテーブルを格納する領域が設けられている。
本例では、キャリア数として４が設定されており、ｉｎｄｅｘ０とｉｎｄｅｘ１の周波数番号は２ＧＨｚ帯のキャリア周波数に対応しており、ｉｎｄｅｘ２とｉｎｄｅｘ３の周波数番号は８００ＭＨｚ帯のキャリア周波数に対応している。検出フラグは、該当する周波数番号でのセル検出状態を示し、本例では、セル未検出である場合には０が格納され、セル検出済みである場合には１が格納される。
【００２１】
図３を参照して、本例の端末装置により行われるキャリアサーチ処理の手順の一例を示す。
処理が開始されると、まず、制御部５が、ｉｎｄｅｘ（インデックス）カウンタを０にクリアし、メモリ４のキャリアテーブルにおけるキャリア数分の全ての検出フラグを０（セル未検出）にクリアする（ステップＳ１）。このときのメモリ４のキャリアテーブルは、例えば、図２（Ａ）に示されるようになる。
【００２２】
次に、制御部５が、メモリ４のキャリアテーブルからｉｎｄｅｘカウンタが指すｉｎｄｅｘの周波数番号を読み出す（ステップＳ２）。例えば、図２（Ａ）に示される例では、ｉｎｄｅｘカウンタが０であれば周波数番号１０６８８が読み出される。
次に、制御部５が読み出した周波数番号を受信部２に設定し、受信部２が指定された周波数番号に対応したキャリア周波数で受信した信号をベースバンド信号へ変換し、セルサーチ部３が当該ベースバンド信号についてセルサーチを行う（ステップＳ３）。例えば、周波数番号１０６８８を受信部２に設定すると、受信部２は指定された周波数番号１０６８８のキャリア周波数（本例では、２．１３７６ＧＨｚ）の信号を受信してベースバンド信号にする。そして、セルサーチ部３は、このベースバンド信号からこのキャリア周波数（本例では、２．１３７６ＧＨｚ）で希望波受信電力（ＲＳＣＰ）が最大レベルのセルのスクランブルコードを同定して、その検出結果の情報を出力する。
【００２３】
次に、制御部５は、セルサーチ部３でセルが検出されたか否かを判定し（ステップＳ４）、セルが検出されたことを判定した場合には、メモリ４のキャリアテーブルの該当するｉｎｄｅｘの検出フラグを１（セル検出済み）とし、その検出セルの情報とそのＲＳＣＰの情報をキャリアテーブルの該当箇所に保存する（ステップＳ５）。例えば、セルサーチ部３がｉｎｄｅｘ＝０でＲＳＣＰ＝−８０ｄＢｍのセル１００（ここで、１００はセルの識別情報とする、他の値についても同様である）を検出した場合には、メモリ４のキャリアテーブルは図２（Ｂ）に示されるようになる。
なお、ステップＳ４の処理において制御部５によりセルサーチ部３でセルが検出されなかったことが判定された場合には、ステップＳ５の処理を行わずに、ステップＳ６の処理へ移行する。
【００２４】
次に、制御部５は、ｉｎｄｅｘカウンタをインクリメントする（本例では、１を加える）ことを行い（ステップＳ６）、メモリ４に予め格納された周波数番号をキャリア数分読み出したか否かを判定する（ステップＳ７）。この結果、周波数番号をキャリア数分読み出していないことが判定された場合には、制御部５は、ステップＳ２の処理からステップＳ６の処理までを繰り返して行うように制御する。
【００２５】
一方、周波数番号をキャリア数分読み出したことが判定された場合には、制御部５は、メモリ４に保存したキャリアテーブルの検出セル（検出フラグ＝１であるもの）のＲＳＣＰを比較する（ステップＳ８）。例えば、ｉｎｄｅｘ＝０、１、３の周波数番号でセルを検出した場合におけるキャリアテーブルは、一例として、図２（Ｃ）に示されるようになり、検出フラグが検出済みを示しているｉｎｄｅｘのＲＳＣＰを比較する。
【００２６】
次に、制御部５は、最大レベルとなるＲＳＣＰのキャリア周波数のセルを介してＮＷに対して位置登録を行うように制御する（ステップＳ９）。そして、処理を終了する。例えば、図２（Ｃ）に示される例では、ｉｎｄｅｘ＝３の周波数番号１０６２（本例では、キャリア周波数＝８８２．５ＭＨｚ）のセル２５０がＲＳＣＰ＝−７５ｄＢｍで最大レベルとなり、このキャリア周波数（本例では、８８２．５ＭＨｚ）のセル２５０を介して、当該セル２５０との間で通信することにより、ＮＷに対して位置登録を行う。
【００２７】
このような位置登録では、端末装置は、該当するキャリア周波数（本例では、８８２．５ＭＨｚ）のセル２５０の報知情報を読み出し、当該セル２５０を介してＮＷに対して位置登録を行うために、上り共通チャネルを使用して端末情報（当該端末装置に関する情報）を当該セル２５０へ送信する。すると、該当するセル２５０は、上り共通チャネルを受信し、端末装置の位置登録を開始するために、下り共通チャネルを端末装置へ送信して、個別チャネルを設定する。そして、上りと下りの個別チャネルを用いて端末装置と該当するセル２５０との間で通信を行い、これにより、端末装置はＮＷへの位置登録を完了する。
【００２８】
以上のように、本例の端末装置では、Ｗ−ＣＤＭＡ方式におけるキャリアサーチ方式に関して、複数のキャリア周波数の信号を送受信するアンテナ１と、指定された周波数番号のキャリア周波数で信号を受信してベースバンド信号にする受信部２と、ベースバンド信号からセルのスクランブルコードを同定し、セル検出結果を取得してセル検出時の希望波受信電力（ＲＳＣＰ）を測定するセルサーチ部３と、キャリア数と周波数番号と検出フラグと検出セルと希望波受信電力（ＲＳＣＰ）を格納するキャリアテーブルを有し、予めキャリア数と周波数番号がキャリアテーブルに格納されているメモリ４と、メモリ４から周波数番号を読み出して受信部２に周波数番号を設定し、セルサーチ部３のセル検出結果でメモリ４のキャリアテーブルの検出フラグと検出セルと希望波受信電力（ＲＳＣＰ）をキャリア数分更新し、希望波受信電力（ＲＳＣＰ）が最大となるキャリア周波数のセルを介して位置登録を行う制御部５を備えた。
【００２９】
従って、本例の端末装置では、Ｗ−ＣＤＭＡ方式におけるキャリアサーチ方式を例えば従来例と比べて改善することができる。具体的には、例えば、メモリ４に格納された周波数番号の順番によらず、最良品質のキャリア周波数のセルを介して位置登録することができる。これにより、従来技術で問題となっていた品質が劣るキャリアのセルとの通信切断による位置登録失敗を回避することができ、最良品質のキャリアでの位置登録を実現することができる。
【００３０】
なお、本例の端末装置（無線通信装置の一例）では、受信部２の機能により受信処理手段が構成されており、セルサーチ部３の機能によりセル情報検出手段が構成されており、メモリ４の機能により情報記憶手段が構成されており、制御部５の機能により記憶情報制御手段や位置登録制御手段が構成されている。
【００３１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３２】
１・・アンテナ、  ２・・受信部、  ３・・セルサーチ部、  ４・・メモリ、  ５・・制御部、
【図１】
2012028849.tif 000003
【図２】
2012028849.tif 000004
【図３】
2012028849.tif 000005